【手続補正書】
【提出日】令和2年3月12日(2020.3.12)
【手続補正１】
【補正対象書類名】明細書
【補正対象項目名】００５４
【補正方法】変更
【補正の内容】
【００５４】
前述の詳細な説明及び実施例は、理解しやすいように示したものにすぎない。詳細な説明及び実施形態による不要な限定はないものと理解すべきである。本開示の範囲から逸脱することなく、記載された実施形態において多くの変更を行うことができることが、当業者には明白であろう。上記の実施形態のいずれかに関して記載されたいずれかの特徴又は特性は、個々に、又は他のいずれかの特徴又は特性と組み合わせて組み込むことができ、単に明確性のために上記の順番及び組み合わせで提示される。よって、本開示の範囲は本明細書に述べられる厳密な詳細及び構造に限定されるべきではない。更に、特徴は、特定の組み合わせで機能するように本明細書で説明され、更にそのように最初に請求されることがあるが、組み合わされる、及び／又は請求される１つ以上の特徴は、場合によっては組み合わせから取り除かれてもよく、請求された組み合わせは、一部の組み合わせ又は一部の組み合わせの変形を目的としてもよい。
以下、例示的実施形態について述べる。
［１］
第１のチャンバ、第２のチャンバ、及び装着者のための呼吸可能空気領域を画定するマスク本体と、
第１及び第２の呼吸空気源構成要素であって、前記第１のチャンバが前記第１の呼吸空気源構成要素と流体連通し、前記第２のチャンバが前記第２の呼吸空気源構成要素と流体連通するように、前記マスク本体に取り付けられるように構成された第１及び第２の呼吸空気源構成要素と、
開構成と、前記第１及び第２の呼吸空気源構成要素と前記呼吸可能空気領域との流体連通を妨げる閉構成との間で操作可能な単一のアクチュエータを備える弁アセンブリと、を備える呼吸マスク保護装置であって、
前記第１及び第２のチャンバは、前記第１のチャンバが第１の吸気ポートを通じて前記呼吸可能空気領域と流体連通し、前記第２のチャンバが第２の吸気ポートを通じて前記呼吸可能空気領域と流体連通するように、実質的に流体隔離されている、呼吸マスク保護装置。
［２］
前記第１及び第２の吸気ポートは、空気が前記呼吸可能空気領域に入ることを可能にし、空気が前記呼吸可能空気領域から前記第１又は第２のチャンバに出ることを妨げるように構成された逆止弁を備える、［１］に記載の呼吸マスク保護装置。
［３］
単一の隔壁が、前記第１の吸気ポートと前記第２の吸気ポートの両方を選択的に覆い、空気が前記第１及び第２のチャンバから前記呼吸可能空気領域に入ることを可能にし、空気が前記呼吸可能空気領域から前記第１又は第２のチャンバに出ることを妨げるように構成されている、［１］に記載の呼吸マスク保護装置。
［４］
前記マスク本体は、前記マスク本体を左右半体に分割する中央平面を備え、前記第１及び第２のチャンバは、前記中央平面に対して少なくとも部分的に平行に向けられた壁によって分離されている、［１］に記載の呼吸マスク保護装置。
［５］
前記弁アセンブリが前記開構成と前記閉構成との間で操作されるときに、前記弁アセンブリが少なくとも部分的に、前記第１及び第２の空気チャンバ内を移動する、［１］に記載の呼吸マスク保護装置。
［６］
前記弁アセンブリは、単体のプランジャを備え、前記弁アセンブリが前記開構成と前記閉構成との間で操作されるときに、前記単体のプランジャが部分的に、前記第１の空気チャンバと第２の空気チャンバとの間にある分離壁の両側を移動する、［５］に記載の呼吸マスク保護装置。
［７］
前記単体のプランジャは、前記マスク本体を左右半体に分割する中央平面に沿って延びる長手方向軸線に沿って直線的に移動する、［６］に記載の呼吸マスク保護装置。
［８］
第１及び第２の弾性シールを備え、前記第１の呼吸空気源構成要素は、前記マスク本体に取り付けられたときに前記第１の弾性シールと封止係合し、前記第２の呼吸空気源構成要素は、前記マスク本体に取り付けられたときに前記第２の弾性シールと封止係合する、［１］に記載の呼吸マスク保護装置。
［９］
前記弁アセンブリは、第１及び第２の封止面を備え、前記第１及び第２の吸気ポートは、対応する封止面を備え、前記閉構成では、前記弁アセンブリの前記第１の封止面が、前記第１の吸気ポートの前記封止面に接触し、前記弁アセンブリの前記第２の封止面が、前記第２の吸気ポートの前記封止面に接触する、［１］に記載の呼吸マスク保護装置。
［１０］
前記アクチュエータはボタンを備え、前記ボタンは、前記弁アセンブリが前記閉構成にあるときに押下されている、［１］に記載の呼吸マスク保護装置。
［１１］
前記弁アセンブリは、前記開構成に向けて付勢されている、［１］に記載の呼吸マスク保護装置。
［１２］
前記弁アセンブリは、第１及び第２の封止面を備える、［１］に記載の呼吸マスク保護装置。
［１３］
前記第１及び第２の封止面は、前記開構成と前記閉構成との間で直線的に移動するように構成されている、［１２］に記載の呼吸マスク保護装置。
［１４］
呼吸マスク保護装置の操作方法であって、
第１の呼吸空気源構成要素と呼吸可能空気領域との間の第１のチャンバを通る第１の流路と、第２の呼吸空気源構成要素と前記呼吸可能空気領域との間の第２のチャンバを通る第２の流路とをマスク本体が提供する開構成から、前記第１及び第２の流路を通じた流体連通が妨げられる閉構成に、弁アセンブリを操作することを含み、
前記第１のチャンバは、前記第２のチャンバと流体連通しておらず、前記弁アセンブリは、前記開構成から前記閉構成に移動可能な単一のアクチュエータを備える、方法。
［１５］
前記弁アセンブリが前記閉構成にある間に息を吸い込むことを含む、［１４］に記載の方法。
［１６］
吸い込み中に観察される指標に基づいて前記マスク本体の装着を評価することを含む、［１５］に記載の方法。
［１７］
前記指標は、吸い込みの困難性の増大である、［１６］に記載の方法。
［１８］
前記マスク本体は、柔軟な顔面接触部分を備え、前記指標は、前記柔軟な顔面接触部分の内側への撓みである、［１６］に記載の方法。
［１９］
前記弁アセンブリが前記開構成に戻ることを可能にするように、前記アクチュエータを解放することを含む、［１４］に記載の方法。
［２０］
第１のチャンバ、第２のチャンバ、及び装着者のための呼吸可能空気領域を画定するマスク本体と、
第１及び第２の呼吸空気源構成要素であって、前記第１のチャンバが前記第１の呼吸空気源構成要素と流体連通し、前記第２のチャンバが前記第２の呼吸空気源構成要素と流体連通するように、前記マスク本体に取り付けられるように構成された第１及び第２の呼吸空気源構成要素と、
開構成と、前記第１の呼吸空気源構成要素と前記呼吸可能空気領域との流体連通を妨げる閉構成との間で操作可能な単一のアクチュエータを備える弁アセンブリと、を備える呼吸マスク保護装置であって、
前記第１及び第２のチャンバは、前記第１のチャンバが第１の吸気ポートを通じて前記呼吸可能空気領域と流体連通し、前記第２のチャンバが第２の吸気ポートを通じて前記呼吸可能空気領域と流体連通するように、実質的に流体隔離されている、呼吸マスク保護装置。
［２１］
前記閉構成では、前記第２の呼吸空気源構成要素と前記呼吸可能空気領域との流体連通が妨げられる、［２０］に記載の呼吸マスク保護装置。
［２２］
前記第１及び第２の吸気ポートは、空気が前記呼吸可能空気領域に入ることを可能にし、空気が前記呼吸可能空気領域から前記第１又は第２のチャンバに出ることを妨げるように構成された逆止弁を備える、［２０］に記載の呼吸マスク保護装置。
［２３］
単一の隔壁が、前記第１の吸気ポートと前記第２の吸気ポートの両方を選択的に覆い、空気が前記第１及び第２のチャンバから前記呼吸可能空気領域に入ることを可能にし、空気が前記呼吸可能空気領域から前記第１又は第２のチャンバに出ることを妨げるように構成されている、［２０］に記載の呼吸マスク保護装置。
［２４］
前記弁アセンブリが前記開構成と前記閉構成との間で操作されるときに、前記弁アセンブリが少なくとも部分的に、前記第１及び第２の空気チャンバ内を移動する、［２０］に記載の呼吸マスク保護装置。
［２５］
前記弁アセンブリは、単体のプランジャを備え、前記弁アセンブリが前記開構成と前記閉構成との間で操作されるときに、前記単体のプランジャが部分的に、前記第１の空気チャンバと第２の空気チャンバとの間にある分離壁の両側を移動する、［２４］に記載の呼吸マスク保護装置。
【手続補正２】
【補正対象書類名】特許請求の範囲
【補正対象項目名】全文
【補正方法】変更
【補正の内容】
【特許請求の範囲】
【請求項１】
第１のチャンバ、第２のチャンバ、及び装着者のための呼吸可能空気領域を画定するマスク本体と、
第１及び第２の呼吸空気源構成要素であって、前記第１のチャンバが前記第１の呼吸空気源構成要素と流体連通し、前記第２のチャンバが前記第２の呼吸空気源構成要素と流体連通するように、前記マスク本体に取り付けられるように構成された第１及び第２の呼吸空気源構成要素と、
開構成と、前記第１及び第２の呼吸空気源構成要素と前記呼吸可能空気領域との流体連通を妨げる閉構成との間で操作可能な単一のアクチュエータを備える弁アセンブリと、を備える呼吸マスク保護装置であって、
前記第１及び第２のチャンバは、前記第１のチャンバが第１の吸気ポートを通じて前記呼吸可能空気領域と流体連通し、前記第２のチャンバが第２の吸気ポートを通じて前記呼吸可能空気領域と流体連通するように、実質的に流体隔離されている、呼吸マスク保護装置。
【請求項２】
前記第１及び第２の吸気ポートは、空気が前記呼吸可能空気領域に入ることを可能にし、空気が前記呼吸可能空気領域から前記第１又は第２のチャンバに出ることを妨げるように構成された逆止弁を備える、請求項１に記載の呼吸マスク保護装置。
【請求項３】
単一の隔壁が、前記第１の吸気ポートと前記第２の吸気ポートの両方を選択的に覆い、空気が前記第１及び第２のチャンバから前記呼吸可能空気領域に入ることを可能にし、空気が前記呼吸可能空気領域から前記第１又は第２のチャンバに出ることを妨げるように構成されている、請求項１に記載の呼吸マスク保護装置。
【請求項４】
呼吸マスク保護装置の操作方法であって、
第１の呼吸空気源構成要素と呼吸可能空気領域との間の第１のチャンバを通る第１の流路と、第２の呼吸空気源構成要素と前記呼吸可能空気領域との間の第２のチャンバを通る第２の流路とをマスク本体が提供する開構成から、前記第１及び第２の流路を通じた流体連通が妨げられる閉構成に、弁アセンブリを操作することを含み、
前記第１のチャンバは、前記第２のチャンバと流体連通しておらず、前記弁アセンブリは、前記開構成から前記閉構成に移動可能な単一のアクチュエータを備える、方法。
【請求項５】
第１のチャンバ、第２のチャンバ、及び装着者のための呼吸可能空気領域を画定するマスク本体と、
第１及び第２の呼吸空気源構成要素であって、前記第１のチャンバが前記第１の呼吸空気源構成要素と流体連通し、前記第２のチャンバが前記第２の呼吸空気源構成要素と流体連通するように、前記マスク本体に取り付けられるように構成された第１及び第２の呼吸空気源構成要素と、
開構成と、前記第１の呼吸空気源構成要素と前記呼吸可能空気領域との流体連通を妨げる閉構成との間で操作可能な単一のアクチュエータを備える弁アセンブリと、を備える呼吸マスク保護装置であって、
前記第１及び第２のチャンバは、前記第１のチャンバが第１の吸気ポートを通じて前記呼吸可能空気領域と流体連通し、前記第２のチャンバが第２の吸気ポートを通じて前記呼吸可能空気領域と流体連通するように、実質的に流体隔離されている、呼吸マスク保護装置。